【事件の表示】
　平成１１年特許願第２０２３２９号「遊技機」拒絶査定不服審判事件〔平成１３年　２月　６日出願公開、特開２００１−　２９６２３〕について、次のとおり審決する。
【結　論】
　本件審判の請求は、成り立たない。
【理　由】
第一．手続の経緯
　本願は、平成１１年７月１５日の出願であって、１回目の最初の拒絶理由通知に対応して平成２０年３月２１日に手続補正書が提出され、２回目の最初の拒絶理由通知に対応して同年６月１０日に手続補正書が提出され、最後の拒絶理由通知に対応して同年８月２５日に手続補正書が提出され、その後なされた拒絶査定に対し、同年１０月１６日に拒絶査定不服審判が請求されるとともに、同年１１月１７日に手続補正がなされた。
　審判合議体は、平成２１年７月９日付けで審査官による前置報告書の内容を添付して審尋を行い、請求人から同年９月２日に回答書が提出された。
　そして、審判合議体によって平成２２年２月４日付けで、平成２０年１１月１７日の手続補正が却下されるとともに拒絶理由が通知され、これに対して平成２２年４月９日に手続補正がなされた。
　
第二．本願発明
　本願の請求項１に係る発明（以下「本願発明」という。）は、平成２２年４月９日付け手続補正書の特許請求の範囲の請求項１に記載された事項により特定される、以下のとおりのものである。
「　遊技制御プログラムを格納したワンチップマイクロコンピュータを基板ボックス内の遊技制御基板に実装した遊技制御装置を備えた遊技機において、
　前記ワンチップマイクロコンピュータには、検査装置により読み取り可能な固有の識別情報を書換え不能に格納し、
　前記遊技制御基板は、
　遊技関連の入出力用コネクタとは形式が異なり、前記固有識別情報を読み出し可能な検査用出力端子を実装し、
　前記基板ボックスは、
　上蓋部材と底蓋部材とからなり、
　前記上蓋部材は、
　天井部の一部を階段状とするとともに、この段の下段の部分であって前記検査用出力端子と対応する位置に壁で囲まれて下向き開口した凹室を形成し、
　該凹室の壁の一部を切り欠いて基板ボックス外に通じる挿通開口部を形成し、
　前記基板ボックスに前記遊技制御基板を収納して閉じた状態で、前記遊技制御基板の一部表面が前記凹室の下向き開口の底面部分となり、この底面部分に取り付けた前記検査用出力端子を前記凹室内に収納し、
　当該遊技機の背面側に前記遊技制御装置を備えた状態で、前記遊技関連の入出力用コネクタの配線接続領域をカバーにより覆い、
　前記カバーにより覆った状態でも前記検査用出力端子は前記挿通開口部を介して検査用配線を接続し、前記検査装置により前記固有の識別情報を読み取り可能にしたことを特徴とする遊技機。」
　
第三．特許要件（特許法第２９条第２項）の検討
１．引用刊行物記載事項
　審判合議体が通知した拒絶理由に引用された特開平９−２３４２７２号公報（以下「引用文献１」という。）には以下の事項が記載されている。
　
【００２３】次に、図２は前記役物制御回路装置１１の拡大斜視図で、図３はその分解斜視図であり、これらの各図中、２１はボックス体、２２は底部部材、２３は表部部材（蓋部材）、２４は役物制御回路基盤、２５は電子部品、２６はコネクタ部、３５は折り返し部、４１は重合部（段差部）、４２，４７は結合穴、５６は静電気防止部材、６１はリベット、６３は封印シール、２３０は検査用接続部、２３１は開口部、２３２はリブ、２５１は集積回路（ワンチップマイコン）、２５２はコネクタである。即ち、ボックス体２１は、金属製の底部部材２２と表部部材としての樹脂製の蓋部材２３とから構成されており、底部部材２２上に固定されて蓋部材２３により覆われる役物制御回路基盤２４上には、多種の電子部品２５が実装されると共に、その一側部にコネクタ部２６が実装して備えられている。このコネクタ部２６は、蓋部材２３の一側面部の下部に沿って切欠形状に形成したコネクタ部用開口部２７から外部に露出しており、このコネクタ部用開口部２７がある側面部に複数の放熱用開口部２８，２８，２８，…が形成されている。
【００２７】役物制御回路基盤２４は、前述した遊技機の役物装置や球排出装置等の各種装置を制御するために、ＲＯＭ等の電子部品２５を基盤上に多数実装すると共に、基盤上の一側部にコネクタ部２６を実装したものである。特に、電子部品２５としては、図３に示されるように、遊技制御を行うプログラムが記憶された集積回路であるＲＯＭ内蔵のワンチップマイコン２５１が実装されると共に、このワンチップマイコン２５１に電気的な接続を行ってプログラム内容を読み出し可能とするためのコネクタ２５２が実装（基盤２４に直付け）されている。そして、蓋部材２３の上面には、コネクタ２５２の上方位置に開口する細長い開口部２３１を有する検査用接続部２３０が形成されており、この検査用接続部２３０は、開口部２３１の周囲を囲むリブ２３２を有している。
【００５５】次に、このような検査装置による役物制御回路装置１１のワンチップマイコン２５１への電気的接続の仕方について説明する。
「第１の電気的接続構造例」図１１は本発明を適用した第１の実施の形態例によるボックス体２１への電気的接続部材（コネクタ）１９７の挿入を説明する要部縦断面図である。この図１１に示すように、検査装置側のコネクタ１９７の先端には、役物制御回路基盤２４上のコネクタ２５２の端子数に対応する多数の端子ピン１９８が備えられており、蓋部材２３の検査用接続部２３０周囲のリブ２３２には、検査装置側のコネクタ１９７を挿入する際に開口部２３１へ位置決めして導くようなガイド部、即ち、テーパ面２３２が形成されている。また、図示のように、役物制御回路基盤２４上のコネクタ２５２の差込口にも、検査装置側のコネクタ１９７を挿入する際のガイド部であるテーパ面２５３が形成されている。なお、図３に示したように、開口部２３１は、ワンチップマイコン２５１よりも面積が小さいものとなっており、従って、開口部２３１からはワンチップマイコン２５１を取り出すことができなくなっている。
【０１０２】＜第６の実施の形態例＞
「第３の電気的接続構造例」図２８は本発明を適用した第６の実施の形態例によるボックス体２１の電気的接続構造例を示した要部縦断面図である。即ち、この第６の実施の形態例では、図２８に示すように、蓋部材２３の側面部に検査用接続部２３０としての開口部２３６を形成して、役物制御回路基盤２４上のワンチップマイコン２５１と外部から電気的に接続するためのコネクタ２５６の側方へ直角に曲げた接続端面２５７を、前記開口部２３６に略面一に配置しておく。なお、この場合、コネクタ２５６の側方へ直角に曲げた部分は、図示のように、静電気防止部材（金属板）５６を貫通している。
【０１０３】従って、検査の際には、図２８に示したようなボックス体２１（蓋部材２３）の検査用接続部２３０において、その側面の開口部２３６に略面一のコネクタ２５６の接続端面２５７に、検査装置側の前記コネクタ１９７（図１１参照）または前記データローダインターフェース回路基盤１９０に直接備えられる外部コネクタ（図示せず）を接続状態にすることで、ワンチップマイコン２５１と検査装置との電気的な接続がなされる。この結果、前述したように、ワンチップマイコン２５１に内蔵のＲＯＭに記憶された遊技制御プログラムを読み出して検査することができる。以上のように、役物制御回路基盤２４上のワンチップマイコン２５１に外部から電気的に接続するためのコネクタ２５６の接続端面２５７を、ボックス体２１の表面に出しておくことにより、前述したような開口部２３１，２３４から内部に挿入して使用するコネクタ１９７やクランプ式ＩＣプローブ２９６等の専用の接続器具が必要なくなる。
【０１０４】なお、以上の実施の各形態例においては、パチンコ遊技機の遊技盤裏面側に取り付ける役物制御回路装置としたが、本発明はこれに限定されるものではなく、他の電子機器における制御回路装置であってもよい。例えば、ワンチップマイコンではなく、従来のＲＯＭ外付けの基盤においても同様である。その場合、開口部はＲＯＭの位置に対応して形成する。さらに、制御回路装置のボックス体の形状等も任意であり、その他、制御回路装置の内部構成を含む具体的な細部構造等についても適宜に変更可能であることは勿論である。
　
　引用文献１における記載事項及び図面を総合的に勘案すれば、引用文献１には、次の発明（以下「引用発明」という。）が記載されている。
「　役物制御回路基盤２４上のワンチップマイコン２５１に内蔵のＲＯＭには遊技制御プログラムが記憶され、前記役物制御回路基盤２４は底部部材２２上に固定されて蓋部材２３により覆われている役物制御回路装置を備えたパチンコ遊技機１において、
　前記ワンチップマイコン２５１と検査装置との電気的な接続がなされる結果、前記ＲＯＭに記憶された遊技制御プログラムを読み出して検査することができ、
　前記役物制御回路基盤２４は、
　その一側部にコネクタ部２６を実装し、側方へ直角に曲げた接続端面２５７を有するコネクタ２５６を設け、
　ボックス体２１は、
　前記底部部材２２と前記蓋部材２３とから構成されており、
　前記蓋部材２３は、
　側面部に検査用接続部２３０としての開口部２３６を形成し、
　前記接続端面２５７を、前記開口部２３６に略面一に配置し、
　当該パチンコ遊技機１の遊技盤裏面側に前記役物制御回路装置を取り付け、前記コネクタ部２６は、蓋部材２３の一側面部の下部に沿って切欠形状に形成したコネクタ部用開口部２７から外部に露出しており、
　前記検査用接続部２３０において、前記開口部２３６に略面一の前記接続端面２５７に検査装置側のコネクタ１９７を接続状態にすることで、前記遊技制御プログラムを読み出して検査することができるパチンコ遊技機１。」
　
２．引用発明と本願発明との対比
　そこで、本願発明と引用発明とを比較すると、
　引用発明の「役物制御回路基盤２４」は、本願発明の「遊技制御基板」に相当し、以下同様に、
「役物制御回路装置」は「遊技制御装置」に、
「パチンコ遊技機１」は「遊技機」に、
「コネクタ部２６」は「入出力用コネクタ」に、
「コネクタ２５６」は「検査用出力端子」に、
「ボックス体２１」は「基板ボックス」に、
「蓋部材２３」は「上蓋部材」に、
「底部部材２２」は「底蓋部材」に、
「前記底部部材２２と前記蓋部材２３とから構成されており」は「上蓋部材と底蓋部材とからなり」に、
「検査装置側のコネクタ１９７」は「検査用配線」に、それぞれ相当する。
　さらに、引用文献１の記載等からみて、以下のことが言える。
　
ａ．引用発明においては「ワンチップマイコン２５１に内蔵のＲＯＭには遊技制御プログラムが記憶され」ているから、引用発明の「ワンチップマイコン２５１」は、本願発明の「遊技制御プログラムを格納したワンチップマイクロコンピュータ」に相当するものといえる。
　また、引用発明の「ワンチップマイコン２５１」は「役物制御回路基盤２４上」にあるから、「役物制御回路基盤２４」に実装されているといえる。
　さらに、引用発明の「役物制御回路基盤２４」は、底部部材２２上に固定されて蓋部材２３により覆われているとともに、ボックス体２１はその底部部材２２と蓋部材２３とから構成されているのであるから、該「役物制御回路基盤２４」はボックス体２１内にあるといえる。
　よって、引用発明は、本願発明の「遊技制御プログラムを格納したワンチップマイクロコンピュータを基板ボックス内の遊技制御基板に実装した遊技制御装置を備えた遊技機」に相当する構成を備えている。
　
ｂ．引用発明の「遊技制御プログラム」は、検査装置に読み出されるのであるから、検査装置により読み取り可能なものといえる。
　そして、引用発明の「遊技制御プログラム」と本願発明の「固有の識別情報」は、いずれも検査装置によって検査される情報であるから、それらは“被検査情報”である点で共通する。
　また、引用発明の「遊技制御プログラム」は、ワンチップマイコン２５１に内蔵のＲＯＭに記憶されているのであるから、ワンチップマイコン２５１に書換え不能に格納されているものといえる。
　よって、引用発明と本願発明とは、“ワンチップマイクロコンピュータには、検査装置により読み取り可能な被検査情報を書換え不能に格納し”ている点で共通している。
　
ｃ．引用発明の「コネクタ部２６」が、パチンコ遊技に関連した情報を入出力するものであることは自明である。
　また、引用発明の「コネクタ２５６」が「コネクタ部２６」と形式の異なるものであることも、引用文献１の図２、１１、２８及び段落【００２７】、【００５５】、【０１０３】の記載を考慮すれば明らかである。
　そして、引用発明の「コネクタ２５６」は、段落【０１０３】の記載に記載されるように、接続端面２５７に検査装置側のコネクタ１９７を接続することで、ワンチップマイコン２５１に内蔵のＲＯＭに記憶された遊技制御プログラムを読み出して検査するためのものであり、上記ｂ．で述べたように、引用発明の「遊技制御プログラム」と本願発明の「固有の識別情報」は、“被検査情報”である点で共通するから、引用発明の「役物制御回路基盤２４」と本願発明の「遊技制御基板」は、“遊技関連の入出力用コネクタとは形式が異なり、前記被検査情報を読み出し可能な検査用出力端子を実装”するものである点で共通する。
　
ｄ．引用発明の「開口部２３６」は、側面部の一部を切り欠きボックス体２１の外部に通じるものであることが明らかで、かつ、その「側面部」と本願発明の「凹室の壁」は“側壁”である点では共通しているから、引用発明の「蓋部材２３」と本願発明の「上蓋部材」は、“側壁の一部を切り欠いて基板ボックス外に通じる開口部を形成”する点で共通している。
　
ｅ．引用発明は「当該パチンコ遊技機１の遊技盤裏面側に前記役物制御回路装置を取り付け」るものであるから、本願発明における「当該遊技機の背面側に前記遊技制御装置を備えた状態」と同様の状態となることは明らかである。
　
ｆ．引用発明は「開口部２３６」を介して「コネクタ部２６」（本願発明の「検査用出力端子」に相当）の「接続端面２５７」に「検査装置側のコネクタ１９７」を接続状態にするものであることは明らかであるから、本願発明の「前記検査用出力端子は前記挿通開口部を介して検査用配線を接続」に相当する機能を有している。
　また、上記ｂ．で述べたように、引用発明の「遊技制御プログラム」と本願発明の「固有の識別情報」は、“被検査情報”である点で共通し、遊技制御プログラムを読み出して検査するのは検査装置であるから、引用発明と本願発明は、“前記検査装置により前記被検査情報を読み取り可能にした”点で共通している。
　
　以上を総合すると、両者は、
「　遊技制御プログラムを格納したワンチップマイクロコンピュータを基板ボックス内の遊技制御基板に実装した遊技制御装置を備えた遊技機において、
　前記ワンチップマイクロコンピュータには、検査装置により読み取り可能な被検査情報を書換え不能に格納し、
　前記遊技制御基板は、
　遊技関連の入出力用コネクタとは形式が異なり、前記被検査情報を読み出し可能な検査用出力端子を実装し、
　前記基板ボックスは、
　上蓋部材と底蓋部材とからなり、
　前記上蓋部材は、
　側壁の一部を切り欠いて基板ボックス外に通じる開口部を形成し、
　当該遊技機の背面側に前記遊技制御装置を備えた状態で、前記検査用出力端子は前記挿通開口部を介して検査用配線を接続し、前記検査装置により前記被検査情報を読み取り可能にした遊技機。」
の点で一致し、以下の点で相違している。
　
［相違点１］“被検査情報”に関して、本願発明は「固有の識別情報」であるのに対し、引用発明は「遊技制御プログラム」である点。
　
［相違点２］基板ボックスの上蓋部材に関し、本願発明が「天井部の一部を階段状とするとともに、この段の下段の部分であって前記検査用出力端子と対応する位置に壁で囲まれて下向き開口した凹室を形成し」、「該凹室の壁の一部を切り欠いて基板ボックス外に通じる挿通開口部を形成し」ているのに対し、引用発明は「側面部に検査用接続部２３０としての開口部２３６を形成し」、「前記接続端面２５７を、前記開口部２３６に略面一に配置」するものであって、本願発明のような「凹室」を備えていない点。
　
［相違点３］本願発明は、「遊技制御基板の一部表面が前記凹室の下向き開口の底面部分となり、この底面部分に取り付けた前記検査用出力端子を前記凹室内に収納」するのに対し、引用発明は、「コネクタ２５６」を収納する凹室をそもそも具備しておらず、そのような構成とはなっていない点。
　
［相違点４］本願発明は「当該遊技機の背面側に前記遊技制御装置を備えた状態で、前記遊技関連の入出力用コネクタの配線接続領域をカバーにより覆」うのに対し、引用発明はそのような状態で「コネクタ部２６は、蓋部材２３の一側面部の下部に沿って切欠形状に形成したコネクタ部用開口部２７から外部に露出しており」、その配線接続領域がカバーにより覆われる構成とはなっていない点。
　
３．当審の判断
［相違点１について］
　審判合議体が通知した拒絶理由に引用された特開平７−３１７３７号公報（以下「引用文献２」という。特に、段落【００１５】〜段落【００１７】及び【図３】参照）には、マイクロコンピュータチップ内蔵の再書き込み禁止ＲＯＭに「識別コード」（固有の識別情報）が書き込まれ、「ＩＤ照合装置３」（検査装置）の接続端子４を遊技機制御基板２の「チップ端子」（検査用出力端子）に接続して「識別コード」を照合（検査）する技術（以下「引用文献２記載の技術」という。）が記載されている。
　そして、引用発明と引用文献２記載の技術は、いずれも遊技機の制御回路の検査を行うものであるから、引用発明に引用文献２記載の技術を適用し、引用発明において「ＲＯＭに記憶された遊技制御プログラムを読み出して検査する」のに代えて、ＲＯＭに「識別コード」を書き込んでおき、その記憶された「識別コード」を読み出して検査するようにして、相違点１に係る本願発明のような構成とすることは、遊技機の分野における通常の知識を有する者（以下「当業者」という。）にとって想到容易である。
　
［相違点２及び３について］
　相違点２及び相違点３は関連するので、まとめて検討する。
　審判合議体が通知した拒絶理由に引用された特開平１１−９００１０号公報（以下「引用文献３」という。特に、段落【００１５】〜【００１９】、段落【００２１】及び【図６】参照）には、「基板収納ケース１４」の「カバー体１８」（上蓋部材）に関して、一部を階段状とするとともに、この段の下段の部分に「入出力用コネクター２８」と対応する位置に壁で囲まれて下向き開口した凹室を形成し、該凹室に「基板収納ケース１４」外に通じる「開口３８」を形成する技術（以下「引用文献３記載の技術」という。）が記載されている。
　また、【図６】によれば、「基板収納ケース１４」内部に「回路基板１７」を収納した状態においては、「回路基板１７」の一部表面が上記凹室の下向き開口の底面部分となり、この底面部分に取り付けた「入出力用コネクター２８」が上記凹室内に収納される点が見てとれる。
　そして、引用発明と引用文献３記載の技術は、いずれも遊技機の回路基板を内部に収納するボックス体（ケース）に関するものであるから、引用発明に引用文献３記載の技術を適用し、「蓋部材２３」の一部を階段状とするとともに、この段の下段の部分に「コネクタ２５６」と対応する位置に壁で囲まれて下向き開口した凹室を形成し、該凹室の壁に「ボックス体２１」外に通じる「開口部２３６」を形成するとともに、蓋部材２３により役物制御回路装置が覆われている状態においては「コネクタ２５６」が上記凹室内に収納されるようにして、相違点２及び相違点３に係る本願発明のような構成とすることは、当業者にとって想到容易である。
　請求人は、平成２２年４月９日付け意見書において、「上蓋部材の天井部の一部を階段状とするとともに、この段の下段の部分であり、前記検査用出力端子と対応する位置に壁で囲まれて下向き開口した凹室を形成し、該凹室の壁の一部を切り欠いて基板ボックス外に通じる挿通開口部を形成したので、前記した検査作業の操作性を高く維持しつつ、基板ボックスの外部からピアノ線等を挿入されることを防止でき、不正行為を防止することができます。」と主張している。
　しかし、遊技機の基板ボックスにおいて、コネクタ実装部分と制御回路実装部分とを壁で仕切って不正行為を防止することが、例えば、特開平９−２７１５６９号公報（特に、段落【００２５】及び【図２】）、特開平１０−２６１８７５号公報（特に、段落【００１６】及び【図４】）並びに特開平１１−１２８４９９号公報（特に、段落【００３３】【００３４】及び【図１２】）に記載されるように、従来周知の技術（以下「周知技術１」という。）であることを考慮すると、引用文献３記載の技術における凹室の壁（【図６】における「入出力用コネクター２８」の左横の壁）も、請求人が主張する不正行為防止機能を有するものと認められる。
　
［相違点４について］
　遊技機の基板を収納するボックス体において、回路基板上に設けられたコネクタの配線接続領域をカバーにより覆うことは、例えば、特開平２−４５０７９号公報（特に、第７頁左上欄第１０〜１５行及び第８、９図）や特開平９−２５３３０３号公報（特に、段落【００１５】及び図４、５）に記載されるように、従来周知の技術（以下「周知技術２」という。）である。
　そして、引用発明も「役物制御回路基盤２４」を収納するボックス体に関するものであるから、引用発明に周知技術２を適用し、「役物制御回路基盤２４」の一側部に実装された「コネクタ部２６」をカバーにより覆うようにして、本願発明における相違点４に係る構成とすることは、当業者が容易に想到し得ることである。
　また、そのような構成としても、引用発明の「検査用接続部２３０」は、「コネクタ部２６」とは別のところに設置されているから、「コネクタ部２６」をカバーにより覆った状態においても、検査用接続部２３０の接続端面２５７に検査装置側のコネクタ１９７を接続できることは明らかである。
　すなわち、請求人が平成２２年４月９日付け意見書において主張している「遊技関連の入出力用端子が配線領域に取り付けられ、これらとは別個に検査用出力端子が実装されるので、検査用配線を検査用出力端子に接続する場合に誤って挿し間違えることがないばかりか、基板ボックスを開いたりカバーを取り外したりしなくてもカバーにより覆った状態でも検査用出力端子に検査装置からの検査用配線を接続できます。」という効果も、格別のものとはいえない。
　
［相違点の判断のまとめ］
　本願発明の作用効果も、引用発明、引用文献２記載の技術、引用文献３記載の技術及び周知技術１、２から当業者が予測できる範囲のものである。
　したがって、本願発明は、引用発明、引用文献２記載の技術、引用文献３記載の技術及び周知技術１、２に基いて、当業者が容易に発明をすることができたものである。
　
第四．むすび
　以上のとおり、本願発明は、引用発明、引用文献２記載の技術、引用文献３記載の技術及び周知技術１、２に基いて、当業者が容易に発明をすることができたものであり、特許法第２９条第２項の規定により特許を受けることができないから、本願の他の請求項（請求項２）について検討するまでもなく、本願は拒絶すべきものである。
　よって、結論のとおり審決する。